(57)【要約】      （修正有）【課題】着席者の上半身も温めることができる、こたつ用掛け布団を提供する。【解決手段】こたつ用テーブル１０に配置される、こたつ用掛け布団２０であって、外部を向く第１面と、第１面とは反対側の第２面とを有する布団本体を備え、布団本体は、こたつ用テーブル上に配置される第１領域と、第１領域を囲み、第１領域から延びるように形成される第２領域と、を有し、第２領域は、少なくとも１つの着用部位を有し、着用部位には、着席者の頭が挿通される第１貫通孔５１５と、着席者の腕が挿通される一対の第２貫通孔が形成されている。【選択図】図１
0003231767.tif 000002
【実用新案登録請求の範囲】
【請求項１】
こたつ用テーブルに配置される、こたつ用掛け布団であって、
外部を向く第１面と、当該第１面とは反対側の第２面とを有する布団本体を備え、
前記布団本体は、前記こたつ用テーブル上に配置される第１領域と、前記第１領域を囲み、当該第１領域から延びるように形成される第２領域と、を有し、
前記布団本体の第２領域は、少なくとも１つの着用部位を有し、
前記着用部位には、着席者の頭が挿通される第１貫通孔と、前記着席者の腕が挿通される一対の第２貫通孔が形成されている、こたつ用掛け布団。
【請求項２】
前記第２領域の外縁において、前記着用部位と対応する部分に連結され、前記第１領域とは反対側に延びる延在部をさらに備えている、請求項１に記載のこたつ用掛け布団。
【請求項３】
前記第２領域の第１面には、前記一対の第２貫通孔の周縁から筒状に延び、前記着席者の腕が挿通される袖部材が連結されている、請求項１または２に記載のこたつ用掛け布団。
【請求項４】
前記第２領域の第１面には、前記第１貫通孔の周縁から延び、前記着席者の頭に被せることが可能な袋状のフード部材が連結されている、請求項１から３のいずれかに記載のこたつ用掛け布団。
【請求項５】
複数の前記着用部位が、前記第１領域を囲む周方向に並ぶように配置されている、請求項１から４のいずれかに記載のこたつ用掛け布団。
【請求項６】
２つの前記着用部位が、前記第１領域を挟んで反対側に配置されている、請求項１から５のいずれかに記載のこたつ用掛け布団。
【考案の詳細な説明】
【技術分野】
【０００１】
本考案は、こたつ用掛け布団に関する。
【背景技術】
【０００２】
一般的なこたつ用掛け布団は、例えば、特許文献１に示すように、着席者の下半身を覆うように形成されている。
【先行技術文献】
【特許文献】
【０００３】
【特許文献１】実用新案登録第３２１３０７７号公報
【考案の開示】
【考案が解決しようとする課題】
【０００４】
しかしながら、従来のこたつ用掛け布団は、上半身を覆うようには設計されていないため、上半身を温めることはできない。そこで、本考案は、上記問題を解決するためになされたものであり、着席者の上半身も温めることができる、こたつ用掛け布団を提供することを目的とする。
【課題を解決するための手段】
【０００５】
本考案に係るこたつ用掛け布団は、こたつ用テーブルに配置される、こたつ用掛け布団であって、外部を向く第１面と、当該第１面とは反対側の第２面とを有する布団本体を備え、前記布団本体は、前記こたつ用テーブル上に配置される第１領域と、前記第１領域を囲み、当該第１領域から延びるように形成される第２領域と、を有し、前記布団本体の第２領域は、少なくとも１つの着用部位を有し、前記着用部位には、着席者の頭が挿通される第１貫通孔と、前記着席者の腕が挿通される一対の第２貫通孔が形成されている。
【０００６】
上記こたつ用掛け布団では、前記第２領域の外縁において、前記着用部位と対応する部分に連結され、前記第１領域とは反対側に延びる延在部をさらに備えることができる。
【０００７】
上記こたつ用掛け布団において、前記第２領域の第１面には、前記一対の第２貫通孔の周縁から筒状に延び、前記着席者の腕が挿通される袖部材が連結することができる。
【０００８】
上記こたつ用掛け布団において、前記第２領域の第１面には、前記第１貫通孔の周縁から延び、前記着席者の頭に被せることが可能な袋状のフード部材が連結することができる。
【０００９】
上記こたつ用掛け布団においては、複数の前記着用部位を、前記第１領域を囲む周方向に並ぶように配置することができる。
【００１０】
上記こたつ用掛け布団においては、２つの前記着用部位を、前記第１領域を挟んで反対側に配置することができる。
【考案の効果】
【００１１】
本考案に係るこたつ用掛け布団によれば、着席者の上半身も温めることができる。
【図面の簡単な説明】
【００１２】
【図１】本考案の一実施形態に係るこたつ用掛け布団の使用方法を示す斜視図である。
【図２】図１のこたつ用掛け布団の平面図である。
【図３】図１のこたつ用掛け布団の底面図である。
【考案を実施するための形態】
【００１３】
以下、本発明に係るこたつ用掛け布団の一実施形態について、図面を参照しつつ説明する。図１は、こたつ用掛け布団をこたつ用テーブルに配置したときの使用状態を示す斜視図、図２は、こたつ用掛け布団の平面図、図３は、こたつ用掛け布団の底面図である。
【００１４】
＜１．こたつ用テーブル及びこたつ用掛け布団の構成＞
図１に示すように、こたつ用テーブル１０は、公知のものであり、矩形状の天板１と、この天板１の４つの角部からそれぞれ下方に延びる４本の脚部２と、天板１の下面に設けられるこたつ用ヒータ（図示省略）と、を備えている。そして、本実施形態に係るこたつ用掛け布団２０は、このこたつ用テーブル１０に配置されて使用される。
【００１５】
図２及び図３に示すように、このこたつ用掛け布団２０は、第１面２０１及び第２面２０２を有する矩形状に形成された布団本体３を有しており、第１面２０１が外部を向き、第２面２０２がこたつ用テーブル１０に接するように配置される。より詳細に説明すると、布団本体３は、こたつ用テーブル１０の天板１の上面に配置される矩形状の第１領域４と、この第１領域４を囲む第２領域５と、を備えており、第２領域５の外形は、矩形状に形成されている。第２領域５は、４つの部位５１を第１領域４の周方向に連結したものであり、それぞれ台形状に形成されている。そして、これら４つの部位５１の１つには、第１領域４から離れる方向に延びる矩形状の延在部６が連結されている。第２領域５においてこの延在部６が連結された部位を、以下、着用部位と称することとする（以下、着用部位を示す場合に、符号５１０を使用することがある）。
【００１６】
各部位５１は、第１領域４の各辺に連結される第１辺５１１と、第２領域５の外縁を構成し、第１辺５１１と平行な第２辺５１２と、これら第１辺５１１及び第２辺５１２の端部同士を連結する一対の側辺５１３とで囲まれた領域である。隣接する部位５１は、側辺５１３同士が連結されている。
【００１７】
次に、着用部位５１０について説明する。着用部位５１０には、こたつに入る着席者の頭が挿通される円形状の第１貫通孔５１５と、この第１貫通孔５１５に隣接し、着席者の腕が挿通される一対の第２貫通孔５１６と、が形成されている。また、布団本体３の第１面において、第１貫通孔５１５の周縁には、袋状のフード部材７が連結されている。このフード部材７は、第１貫通孔５１５から突出する着席者の頭に被せることが可能なように形成されており、フード部材７の開口は、第１領域４側を向いている。
【００１８】
一方、布団本体３の第１面において、各第２貫通孔５１６の周縁には、筒状の袖部材８がそれぞれ連結されており、各袖部材８には着席者の腕が挿通される。さらに、布団本体３の第１面において、第１貫通孔５１５よりも第１領域４側には、一対のポケット９が取り付けられている。各ポケット９の開口部は、第１領域４とは反対側を向くように形成されている。
【００１９】
延在部６は、着用部位５１０の第２辺５１２に連結され、第２辺５１２と同じ長さの連結辺６１を有し、この連結辺から、第１領域４とは離れる方向に延びる矩形状の領域である。この延在部６において、連結辺６１と対向する辺６２は、外側に向かって凸となるように円弧状に形成されている。
【００２０】
布団本体３を形成する材料は、特には限定されず、シート状の１枚の布、２枚のシート状の布の縁部を縫い合わせ、これら布の間に綿などの保温材料を挿入したものなど、種々の布等の材料で形成することができる。また、フード部材７、袖部材８を形成する材料も特には限定されず、公知の布等の材料で形成することができる。そのような材料としては、例えば、布団本体３と同じ材料でもよいし、異なる材料であってもよい。
【００２１】
＜２．こたつ用掛け布団の使用方法＞
次に、上記のように構成されたこたつ用掛け布団は、図１に示すように使用される。すなわち、着席者は、こたつ用掛け布団２０の着用部位５１０の第２面側から頭、両腕をそれぞれ第１貫通孔５１５及び第２貫通孔５１６に入れる。そして、両腕を、それぞれ第２貫通孔５１６を介して袖部材８に挿通し、手を各袖部材８の端部から外側に出す。また、第１貫通孔５１５から第１面側に頭を出した後、必要に応じて、図１に示すようにフード部材７を被ることができる。こうして、着用が完了する。
【００２２】
＜３．特徴＞
上記のように構成されたこたつ用掛け布団によれば、次のような効果を得ることができる。
（１）本実施形態に係るこたつ用掛け布団２０では、布団本体３の第２領域５に、着席者の頭が挿通される第１貫通孔５１５と両腕をそれぞれ挿通可能な一対の第２貫通孔５１６が形成された着用部位５１０を設けている。そのため、着席者は着用部位５１０の第１貫通孔５１５から頭を出し、第２貫通孔５１６からそれぞれ腕を出すことで、着席者の下半身のみならず、上半身も布団本体３によって覆うことができる。したがって、こたつ用テーブルのヒータからの熱を上半身にも伝えることができ、身体全体を温めることができる。
【００２３】
（２）着用部位５１０には、着席者の腕が出せるように第２貫通孔５１６を設けているため、上半身が覆われながらも、第２貫通孔５１６から出した腕により、こたつ用テーブル１０上で、本を読むなどの作業を行うことができる。
【００２４】
（３）着用部位５１０には、フード部材７及び袖部材８が設けられているため、着席者の頭及び腕がフード部材７及び袖部材８によって覆われる。したがって、頭及び腕も温めることができる。
【００２５】
（４）通常、こたつ布団は、下半身のみを覆うように設計されていることが多いため、第２領域は着席者の上半身も覆うような長さにはなっていない。したがって、第２領域だけでは、着席者の身体の前側しか覆うことができないおそれがある。これに対して、本実施形態では、第２領域５において、着用部位５１０に対応する部分には、延在部６が設けられているため、着席者が着用部位５１０で上半身を覆った場合、延在部６によって着席者の背中側も覆われるため、着席者の上半身全体を十分に覆うことができる。また、延在部６を設けることで、こたつ用テーブル１０に深く入ることなく、掛け布団として用いて寝ることもできる。
【００２６】
＜４．変形例＞
以上、本考案の一実施形態について説明したが、本発明はこれに限定されるものではなく、その趣旨を逸脱しない限りにおいて種々の変更が可能である。なお、以下の変形例は適宜、組み合わせることができる。
【００２７】
（１）上記実施形態においては、こたつ用テーブル１０の天板１が矩形状である場合を例として説明したが、これに限定されず、天板１が円形状や多角形状のこたつ用テーブル１０に対しても同様に使用することができる。この場合、第２領域５の形状を天板１の形状に合わせて適宜変更することができる。例えば、上記実施形態では、第２領域５が４つの部位５１を有しているが、４以外の部位で形成することもでき、また各部位５１の形状も適宜変更することができる。したがって、第２領域５の外縁は矩形状以外の円形等の形状であってもよい。なお、上記実施形態では、説明の便宜のため、第２領域５の各部位５１の境界を明示しているが、このような境界はなくてもよい。この点は、延在部６と第２領域５との境界についても同様である。
【００２８】
（２）上記実施形態では、第１貫通孔５１５及び第２貫通孔５１６にそれぞれフード部材７及び袖部材８を設けているが、これらは必須ではなく、必要に応じて少なくとも一方を設けることができる。また、ポケット９も必須ではなく、必要に応じて、適宜設ければよい。
【００２９】
（３）上記実施形態では、４つの部位５１のうちの１つを着用部位５１０としているが、着用部位５１０は１つに限定されるものではなく、複数設けることができる。例えば、着用部位５１０を２つ設ける場合には、第２領域５において、第１領域４を挟んで対向する部分に着用部位５１０をそれぞれ設けることができる。また、３以上の着用部位５１０を設ける場合には、第１領域４を囲む周方向に複数の着用部位５１０が並ぶように設ければよい。また、上記実施形態では、説明の便宜上、着用部位５１０が台形状に形成されているとして説明したが、着用部位の形状は特には限定されず、第２領域５において、第１貫通孔５１５及び一対の第２貫通孔５１６が形成されている部分があれば、その部分が着用部位に相当する。
【００３０】
（４）上記実施形態では、延在部６を矩形状に形成しているが、着席者の上半身を十分に覆うことができるのであれば、その形状は特には限定されない。また、延在部６は必ずしも必要でなく、例えば、第２領域５全体の幅(第１領域４から離れる方向の長さ)を、着席者の上半身を覆うことができる程度に大きく形成してもよい。なお、延在部６と第２領域５との境界が明示されていなくても、第２領域５の他の部分よりも幅が大きくなっている部分があれば、その部分が延在部６に相当する。
【符号の説明】
【００３１】
３      ：布団本体
４      ：第１領域
５      ：第２領域
６      ：延在部
７      ：フード部材
８      ：袖部材
１０    ：こたつ用テーブル
２０    ：こたつ用掛け布団
２０１  ：第１面
２０２  ：第２面
５１０  ：着用部位
５１５  ：第１貫通孔
５１６  ：第２貫通孔
【図１】
0003231767.tif 000003
【図２】
0003231767.tif 000004
【図３】
0003231767.tif 000005